(57)【特許請求の範囲】
【請求項１】
防水性の生地を用いて形成された水作業用オーバーズボンにおいて、上記オーバーズボンの脚部で膝の内側に該当する位置に、生地を貫通する排気孔を設け、この排気孔を設けた生地の外面側に、前記排気孔を覆う外カバーを、排気孔の周囲の生地に下方部分を除いて接合することにより、脚部の生地との対向面間に隙間を形成した状態で取付け、前記排気孔を設けた生地の内面側に、前記排気孔を覆うことのできる大きさを有し、その上縁と下縁を排気孔の周囲の生地に接着することにより、脚部の生地との対向面間に隙間を形成し、両端が生地と遊離した吸排口となる内カバーを取付けたことを特徴とする水作業用オーバーズボン。
【請求項２】
防水性の生地を用いて形成された水作業用オーバーオールにおいて、上記オーバーオールの脚部で膝の内側に該当する位置に、生地を貫通する排気孔を設け、この排気孔を設けた生地の外面側に、前記排気孔を覆う外カバーを、排気孔の周囲の生地に下方部分を除いて接合することにより、脚部の生地との対向面間に隙間を形成した状態で取付け、前記排気孔を設けた生地の内面側に、前記排気孔を覆うことのできる大きさを有し、その上縁と下縁を排気孔の周囲の生地に接着することにより、脚部の生地との対向面間に隙間を形成し、両端が生地と遊離した吸排口となる内カバーを取付けたことを特徴とする水作業用オーバーオール。
【発明の詳細な説明】
【０００１】
【発明の属する技術分野】
この発明は、漁師や水産加工業者等の、水に濡れる作業に従事する人が、着衣の上から着用し、着衣が濡れるのを防ぐ水作業用オーバーズボンとオーバーオールに関する。
【０００２】
【従来の技術】
水作業時に着用するオーバーズボンは、防水性に優れた生地を用いてズボン形状に形成され、ウエスト部が締付けゴムで絞られた構造を有し、また、オーバーオールは、同じく防水性に優れた生地を用い、ズボン部分の上端に上着部分となる前見頃と後見頃を連ねて設け、前見頃と後見頃の上端間に肩紐を取り付け、着用時にウエスト部分をベルトや紐で縛るようになっている。
【０００３】
【発明が解決しようとする課題】
ところで、上記のようなオーバーズボンやオーバーオールは、使用している生地に通気性がなく、ウエスト部が締付けゴムで絞られたり、ベルトや紐で縛られるため、作業中にしゃがんだり座ったりした場合、図６にオーバーズボン１の例で示すように、膝からウエスト部の間に空気が溜まって膨れた状態になりやすく、しゃがみにくいので座っての作業がしずらいという問題がある。
【０００４】
また、生地に通気性がないため、オーバーズボンやオーバーオールの内部が湿って蒸れやすく、着用者は作業中に不快感を感じることになる。
【０００５】
また、ズボンが膨らまないように手で押さえ、ズボン内の空気を脚部の裾口から排出しながらしゃがむこともできるが、しゃがんだり座るごとにこのような作業を行うのは煩わしいことである。
【０００６】
一方、ズボン内の空気が排出されると、生地が着用者の体に密着することになり、着用者が立ち上がってもズボン内の空気量が元に戻るまでにしばらく時間がかかるため、生地が着用者の下肢にまとわりつくことがある。
このため、とりわけ機敏な動作を求められる船上の作業に従事する人は動きづらく、疲れやすくもなり、注意力も緩慢になって事故につながるおそれも生じる。
【０００７】
そこで、この発明の課題は、着用者がしゃがんだり座ったりした場合に、ズボンの内部と外部との吸排気が効果的に行われ、しゃがんだり座る動作が円滑に行え、立ち上がっても生地のまとわりつきのないオーバーズボンとオーバーオールを提供することにある。
【０００８】
【課題を解決するための手段】
上記のような課題を解決するため、この発明は、防水性の生地を用いて形成された水作業用オーバーズボンにおいて、上記オーバーズボンの脚部で膝の内側に該当する位置に、生地を貫通する排気孔を設け、この排気孔を設けた生地の外面側に、前記排気孔を覆う外カバーを、排気孔の周囲の生地に下方部分を除いて接合することにより、脚部の生地との対向面間に隙間を形成した状態で取付け、前記排気孔を設けた生地の内面側に、前記排気孔を覆うことのできる大きさを有し、その上縁と下縁を排気孔の周囲の生地に接着することにより、脚部の生地との対向面間に隙間を形成し、両端が生地と遊離した吸排口となる内カバーを取付けた構成を採用したものである。
【０００９】
また、別の発明は、防水性の生地を用いて形成された水作業用オーバーオールにおいて、上記オーバーオールの脚部で膝の内側に該当する位置に、生地を貫通する排気孔を設け、この排気孔を設けた生地の外面側に、前記排気孔を覆う外カバーを、排気孔の周囲の生地に下方部分を除いて接合することにより、脚部の生地との対向面間に隙間を形成した状態で取付け、前記排気孔を設けた生地の内面側に、前記排気孔を覆うことのできる大きさを有し、その上縁と下縁を排気孔の周囲の生地に接着することにより、脚部の生地との対向面間に隙間を形成し、両端が生地と遊離した吸排口となる内カバーを取付けた構成を採用したものである。
【００１１】
このようなオーバーズボン又はオーバーオールを着用して作業をすると、着用者がしゃがんだときに、ズボン内の湿った空気が空気圧により排気孔から排気されるので、ズボンの内部と外部との吸排気が効果的に行われ、ズボンの内部に湿った空気が溜まりにくく、下腹部も膨らまないので、しゃがんだり座る動作が円滑に行える。
【００１２】
また、立ち上がったときには、排気孔と裾口の両方からズボン内に空気が吸引されるので、着用者の動作に伴い、ズボン内部の空気が循環し、通気性が確保される。この結果、ズボン内部が蒸れたりせず、また、ズボン内の空気も排出されすぎないので、ズボン生地が着用者の体に密着せず、下肢にまとわりついて着用者の動きを妨げたりすることもない。
【００１３】
さらに、前記カバーを設けることにより、排気孔を設けた部分に水がかかっても、ズボン内に水が入りにくい。
【００１４】
また、排気孔を、膝の内側に該当する位置に設けることにより、排気孔が腹部や着衣で閉塞されることもないので、より良好に給排気が行われる。
【００１５】
【発明の実施の形態】
以下、この発明の実施の形態を図示例と共に説明する。
【００１６】
図１に示す水作業用オーバーズボン１１は、防水性に優れた生地Ａで形成されており、股上部分１２とこの股上部分１２の下部両側に連ねて設けた一対の脚部１３とからなるズボン形状となり、ズボン１１の内側には、ポリエステルの布張りが施され、股上部分１２のウェスト部１４には、締付けゴムが取り付けられている。
【００１７】
図２に示す水作業用オーバーオール２１は、防水性に優れた生地Ａで形成されており、股上部分２２とこの股上部分２２の下部両側に連ねて設けた一対の脚部２３とからなるズボン部分２４の上端に、上着部分となる前見頃２５と後見頃２６を連ねて設け、前見頃２５と後見頃２６の上端間に肩ベルト２７を取り付け、着用時にズボン部分２４ウエスト部をベルトや紐で縛るようになっている。
【００１８】
上記水作業用オーバーズボン１１及び水作業用オーバーオール２１において、一対の脚部１３、２３には、膝の内側に該当する位置に、生地Ａを貫通する排気孔３１が設けられ、この排気孔３１は外カバー３２と内カバー３３で覆われている。
【００１９】
前記排気孔３１は、図３乃至図５のように、上下に長い角孔状に形成され、脚部１３、２３の幅方向に複数を一定の間隔配置で並べ、これを上下二列の配置で設けた例を示したが、排気孔３１の形状とその大きさや数等は自由に設定することができる。
【００２０】
上記外カバー３２は、図４および図５に示すように、横に並ぶ排気孔３１を全て覆える長さと、排気孔３１の上下開口寸法よりも広い幅を有し、前記生地Ａと同じ材質の帯状生地片からなり、この外カバー３２を脚部１３、２３の外面に、横に並ぶ排気孔３１を全て覆うように重ね、その上縁と両側縁を脚部１３、２３の生地Ａに接着することにより、下縁が脚部１３、２３の生地Ａと遊離し、かつ、脚部１３、２３の生地Ａとの対向面間に隙間Ｂが形成されるようにした状態で取り付けられている。
【００２１】
なお、図示の例では、外カバー３２の下縁は複数箇所を脚部１３、２３の生地Ａに対して点接着３４し、外カバー３２の下縁が不必要に開くことのないようにした例を示している。
【００２２】
また、内カバー３３は、図３乃至図５に示すように、横に並ぶ排気孔３１を全て覆える長さと、排気孔３１の上下開口寸法よりも少し広い幅を有し、前記生地Ａと同じ材質の帯状生地片からなり、この内カバー３３を脚部１３、２３の内面に、横に並ぶ排気孔３１を全て覆うように重ね、その上縁と下縁を脚部１３、２３の生地Ａに接着することにより、両端が脚部１３、２３の生地Ａと遊離した吸排口Ｃとなり、かつ、脚部１３、２３の生地Ａとの対向面間に隙間Ｄが形成されるようにした状態で取り付けられている。
【００２３】
このようなオーバーズボン１１やオーバーオール２１を着用して作業をすると、着用者がしゃがんだときに、ズボン内の湿った空気が空気圧により排気孔３１から排気されるので、ズボンの内部に湿った空気が溜まりにくく、下腹部が膨らまない。また、立ち上がったときには、排気孔３１と裾口の両方からズボン内に空気が吸引されるので、着用者の動作に伴い、ズボン内部の空気が循環し、通気性が確保される。この結果、ズボン内部が蒸れたりせず、また、ズボン内の空気量が排気孔からの吸気によって適度に確保されるので、ズボンの生地Ａが着用者の体に密着せず、下肢にまとわりついて着用者の動きを妨げたりすることもない。
【００２４】
さらに、排気孔３１を設けた部分に水がかかっても、前記外カバー３２によりズボン内に水が入りにくい。また、排気孔３１は、脚部１３、２３の膝の内側に該当する位置に設けられているので、腹部や着衣で閉塞されることがない。
【００２５】
また、内カバー３３が脚部１３、２３の内部で排気孔３１を覆っているので、オーバーズボン１１やオーバーオール２１を着脱するとき、足を排気孔３１に突っ込むようなことがないと共に、外カバー３２及び内カバー３３と生地Ａとの間に、それぞれ前記隙間Ｂ、Ｄを形成することにより、排気孔３１が外カバー３２と内カバー３３で閉塞されることもないので、より良好な通気性が得られる。
【００２６】
【発明の効果】
以上説明したように、この発明に係る水作業用オーバーズボン及びオーバーオールは、脚部に設けた排気孔で通気性を確保することができ、しかも、この排気孔を脚部の膝の内側に該当する位置に設けたので、屈伸動作で空気が最も出入りしやすい位置となり、着用者の動きに伴って、ズボン内の空気が循環し、ズボンの下腹部が膨らんだりズボン内が蒸れたりせず、ズボン生地が着用者の下肢にまとわりつくこともない。
【００２７】
また、外カバーによって、排気孔からのズボン内への水の浸入を防止することができ、しかも、外カバーと脚部の生地との対向面間に隙間を形成し、排気孔を設けた生地の内面側に、前記排気孔を覆うことのできる大きさを有し、その上縁と下縁を排気孔の周囲の生地に接着することにより、脚部の生地との対向面間に隙間を形成し、両端が生地と遊離した吸排口となる内カバーを取付けたので、内カバーによって、オーバーズボンやオーバーオールを着脱するとき、排気孔に脚を突っ込むようなことがないと共に、外カバー及び内カバーと生地との間に隙間を形成することにより、排気孔が外カバーと内カバーで閉塞されることがないので、より良好な通気性が得られる。
【図面の簡単な説明】
【図１】この発明に係る水作業用オーバーズボンを示す斜め後方からの斜視図
【図２】この発明に係る水作業用オーバーオールを示す斜め後方からの斜視図
【図３】上記水作業用オーバーズボン及びオーバーオールに設けた排気孔部分の構造を示す脚部の内側から見た正面図
【図４】図３の矢印IV−IVに沿った縦断側面図
【図５】図３の矢印Ｖ−Ｖに沿った横断平面図
【図６】従来の水作業用オーバーズボンを着用してしゃがんだ状態を示す側面図
【符号の説明】
１１  オーバーズボン
１２  股上部分
１３  脚部
１４  ウェスト部
２１  オーバーオール
２２  股上部分
２３  脚部
２４  ズボン部分
２５  前見頃
２６  後見頃
２７  肩ベルト
３１  排気孔
３２  外カバー
３３  内カバー
Ａ    生地
Ｂ    隙間
Ｃ    吸排口
Ｄ    隙間
【図１】
0003933916.tif 000002
【図２】
0003933916.tif 000003
【図３】
0003933916.tif 000004
【図４】
0003933916.tif 000005
【図５】
0003933916.tif 000006
【図６】
0003933916.tif 000007